(57)【要約】【課題】子供を取り巻く環境を考慮しつつ、より安全に子供の状況を監視するシステムを提供する。【解決手段】ＧＰＳ端末と、サーバーと、設定端末を備える位置監視システムであって、前記ＧＰＳ端末は、位置情報送信部と警告発信部を備え、前記位置情報送信部は、当該ＧＰＳ端末が存在する位置についての位置情報を、予め定められたタイミングで前記サーバーへ送信し、前記警告発信部は、前記サーバーから受信した警告命令に基づいて警告を発信し、前記設定端末は、前記ＧＰＳ端末が存在する位置に関して予め定められた位置条件を設定可能に構成され、前記サーバーは、記憶部と警告命令送信部を含み、前記記憶部は、前記位置条件を記憶し、前記警告命令送信部は、前記ＧＰＳ端末から受信した前記位置情報が、前記位置条件を満たした場合に、前記ＧＰＳ端末へ警告命令を送信する、位置監視システムが提供される。【選択図】図１
2020161906.tif 000002
【特許請求の範囲】
【請求項１】
ＧＰＳ端末と、サーバーと、設定端末を備える位置監視システムであって、
前記ＧＰＳ端末は、位置情報送信部と警告発信部を備え、
前記位置情報送信部は、当該ＧＰＳ端末が存在する位置についての位置情報を、予め定められたタイミングで前記サーバーへ送信し、
前記警告発信部は、前記サーバーから受信した警告命令に基づいて警告を発信し、
前記設定端末は、前記ＧＰＳ端末が存在する位置に関して予め定められた位置条件を設定可能に構成され、
前記サーバーは、記憶部と警告命令送信部を含み、
前記記憶部は、前記位置条件を記憶し、
前記警告命令送信部は、前記ＧＰＳ端末から受信した前記位置情報が、前記位置条件を満たした場合に、前記ＧＰＳ端末へ警告命令を送信する、位置監視システム。
【請求項２】
請求項１に記載の位置監視システムであって、
前記設定端末はスマートフォンである、位置監視システム。
【請求項３】
請求項１または請求項２に記載の位置監視システムであって、
前記設定端末は、前記警告の種類を設定可能に構成される、位置監視システム。
【請求項４】
請求項１〜請求項３のいずれか１項に記載の位置監視システムであって、
前記警告は音声、振動、または、発光の少なくとも１つである、位置監視システム。
【請求項５】
請求項１〜請求項４のいずれか１項に記載の位置監視システムであって、
前記ＧＰＳ端末は、振動を検知するための振動センサーを備える、位置監視システム。
【請求項６】
請求項１〜請求項５のいずれか１項に記載の位置監視システムであって、
前記サーバーは、前記位置情報が予め定められた条件を満たした場合に、前記警告命令を送信したことを前記設定端末へ連絡する、位置監視システム。
【請求項７】
請求項１〜請求項６のいずれか１項に記載の位置監視システムであって、
前記ＧＰＳ端末は、使用者が任意のタイミングで押下可能なボタンを備え、
前記ボタンが押下されたタイミングに、前記位置情報を前記サーバーへ送信する、位置監視システム。
【請求項８】
請求項７に記載の位置監視システムであって、
前記サーバーは、前記ボタンが押下されたタイミングにおける前記位置情報を、前記設定端末へ送信する、位置監視システム。
【請求項９】
請求項１〜請求項８のいずれか１項に記載の位置監視システムであって、
前記サーバーは、前記ＧＰＳ端末の所持者が行動する地域における危険に関する地域危険情報が登録された地域危険情報サーバーと通信可能に構成され、
前記設定端末は、前記地域危険情報を表示可能に構成される、位置監視システム。
【請求項１０】
請求項９に記載の位置監視システムであって、
前記設定端末は、前記地域危険情報を前記地域危険情報サーバーに登録可能に構成される、位置監視システム。
【発明の詳細な説明】
【技術分野】
【０００１】
本発明は、位置監視システムに関する。
【背景技術】
【０００２】
近年、登下校時の子供の狙った事件が増加しており、このような事件に巻き込まれないように子供を見守るための位置監視システムの開発が進められている。たとえば、特許文献１には、携帯端末を所持した子供の周囲に、携帯端末を所持した親が存在しない時間が所定の時間を超過したときに、警告情報を監視者に発信する位置監視システムが開示されている。
【先行技術文献】
【特許文献】
【０００３】
【特許文献１】特開２００６−１１９４９号公報
【発明の概要】
【発明が解決しようとする課題】
【０００４】
しかし、上記特許文献１における技術では、親が共働きの場合などには子供の傍にいることができないため、当該位置監視システムを使用することができない。そのような場合、子供自身が自分の安全を確保しなければならないが、地域によっては子供にとって安全な区域と危険な区域が混在しており、そのような環境情報を考慮しつつ子供の安全を確保したいというニーズがある。
【０００５】
本発明は、このような事情を鑑みてなされたものであり、子供を取り巻く環境を考慮しつつ、より安全に子供の状況を監視するシステムを提供することである。
【課題を解決するための手段】
【０００６】
本発明によれば、ＧＰＳ端末と、サーバーと、設定端末を備える位置監視システムであって、前記ＧＰＳ端末は、位置情報送信部と警告発信部を備え、前記位置情報送信部は、当該ＧＰＳ端末が存在する位置についての位置情報を、予め定められたタイミングで前記サーバーへ送信し、前記警告発信部は、前記サーバーから受信した警告命令に基づいて警告を発信し、前記設定端末は、前記ＧＰＳ端末が存在する位置に関して予め定められた位置条件を設定可能に構成され、前記サーバーは、記憶部と警告命令送信部を含み、前記記憶部は、前記位置条件を記憶し、前記警告命令送信部は、前記ＧＰＳ端末から受信した前記位置情報が、前記位置条件を満たした場合に、前記ＧＰＳ端末へ警告命令を送信する、位置監視システムが提供される。
【０００７】
このような構成とすることにより、保護者は地域の環境を考慮して危険な地域を設定することができる。そして、ＧＰＳ端末を所持した子供が設定された場所に立ち入った場合に、ＧＰＳ端末が子供に対して警告を発信するため、子供の安全を確保することが可能となる。
【０００８】
以下、本発明の種々の実施形態を例示する。以下に示す実施形態は、互いに組み合わせ可能である。また、各特徴が独立に発明を構成する。
【０００９】
好ましくは、前記設定端末はスマートフォンである。
好ましくは、前記設定端末は、前記警告の種類を設定可能に構成される。
好ましくは、前記警告は音声、振動、または、発光の少なくとも１つである。
好ましくは、前記ＧＰＳ端末は、振動を検知するための振動センサーを備える。
好ましくは、前記サーバーは、前記位置情報が予め定められた条件を満たした場合に、前記警告命令を送信したことを前記設定端末へ連絡する。
好ましくは、前記ＧＰＳ端末は、使用者が任意のタイミングで押下可能なボタンを備え、前記ボタンが押下されたタイミングに、前記位置情報を前記サーバーへ送信する。
好ましくは、前記サーバーは、前記ボタンが押下されたタイミングにおける前記位置情報を、前記設定端末へ送信する。
好ましくは、前記サーバーは、前記ＧＰＳ端末の所持者が行動する地域における危険に関する地域危険情報が登録された地域危険情報サーバーと通信可能に構成され、前記設定端末は、前記地域危険情報を表示可能に構成される。
好ましくは、前記設定端末は、前記地域危険情報を前記地域危険情報サーバーに登録可能に構成される。
【図面の簡単な説明】
【００１０】
【図１】本発明の第１実施形態に係る位置監視システム１００の概要を説明する図である。
【図２】位置監視システム１００の機能ブロック図である。
【図３】ＧＰＳ端末２０の斜視図である。
【図４】ＧＰＳ端末２０のハードウェア構成を示すブロック図である。
【図５】設定端末１０の画面遷移を示す図である。
【図６】設定端末１０の画面遷移を示す図である。
【図７】位置監視システム１００の処理の流れを説明する図である。
【図８】第２実施形態に係る位置監視システム２００の概要を示す図である。
【図９】設定端末１０の画面遷移を示す図である。
【図１０】位置監視システム２００の処理の流れを説明する図である。
【図１１】第３実施形態に係る位置監視システム３００の概要を示す図である。
【図１２】位置監視システム３００の処理の流れを説明する図である。
【発明を実施するための形態】
【００１１】
＜１．第１実施形態＞
（１．１．位置監視システム１００の概要）
図１を参照し、本発明の実施形態１に係る位置監視システム１００の概要を説明する。図１に示すように、位置監視システム１００は、設定端末１０とＧＰＳ端末２０とサーバー３０とを備える。
【００１２】
設定端末１０は、たとえば保護者が所有するスマートフォンなどの携帯端末で実現され、サーバー３０と通信可能に構成される。ＧＰＳ端末２０は、たとえば子供などの保護対象者に所持され、サーバー３０と通信可能に構成される。
【００１３】
保護者は、設定端末１０を操作することにより、ＧＰＳ端末２０の位置に関する条件（以下、位置条件ともいう）を設定する。具体的には、保護対象者にとって危険なエリアを位置条件として設定する。ＧＰＳ端末２０は、予め定められたタイミング（たとえば５分おき）に、ＧＰＳ端末２０が存在する位置についての情報（以下、位置情報ともいう）をサーバー３０へ送信する。
【００１４】
サーバー３０は、ＧＰＳ端末２０から受信した位置情報が、設定端末１０から設定された位置条件を満たすか否かを判定し、位置情報が位置条件を満たした場合に、ＧＰＳ端末２０に対して警告命令を送信する。ＧＰＳ端末２０は警告命令を受信すると、音声によって保護対象者に対して警告を行う。これにより、保護対象者は自身が危険なエリアに進入したことを認知することができる。
【００１５】
一方、サーバー３０は、設定端末１０に対して警告命令を送信したことを連絡する。保護者は、設定端末１０を確認することにより、保護対象者が危険にエリアに進入したことを検知することができる。
【００１６】
（１．２．位置監視システム１００の機能構成）
図２を参照し、位置監視システム１００の機能構成の一例を説明する。上述したように、位置監視システム１００は、設定端末１０とＧＰＳ端末２０とサーバー３０とを備える。以下、各構成について説明する。
【００１７】
（１．２．１．設定端末１０）
設定端末１０は、入力部１１と表示部１４とデータ送受信部１７とを備える。入力部１１は使用者（保護者）が操作することにより、位置条件を入力可能に構成される。表示部１４はディスプレイで構成され、各種情報を表示する。データ送受信部１７は、サーバー３０とのデータの送受信が可能に構成されている。
【００１８】
（１．２．２．ＧＰＳ端末２０）
ＧＰＳ端末２０は、位置情報取得部２１と位置情報送信部２３と警告発信部２５とを備える。位置情報取得部２１は、予め定められたタイミングで、ＧＰＳ衛生からの測位信号を受信する。位置情報送信部２３は、受信した測位信号に基づいて検出されたＧＰＳ端末２０の位置情報を、サーバー３０へ送信する。
【００１９】
警告発信部２５は、サーバー３０から受信する警告命令に基づいて、保護対象者に警告を発信する。警告は、たとえば、音声により発信される。ただし、この例に限定されず、発光、または、振動、およびそれらの組み合わせにより警告を発信してもよい。
【００２０】
（１．２．３．サーバー３０）
サーバー３０は、記憶部３１とデータ更新部３３と判定部３５と警告命令送信部３７とを備える。記憶部３１は、保護者が設定した位置条件を記憶する。データ更新部３３は、設定端末１０から受信した位置条件に基づいて、記憶部３１のデータを更新可能に構成される。
【００２１】
判定部３５は、ＧＰＳ端末２０から位置情報を受信すると、記憶部３１を参照し、位置情報が位置条件を満たすか否かを判定する。位置情報が位置条件を満たす場合、警告命令送信部３７は、ＧＰＳ端末２０へ警告命令を送信する。また、判定部３５は、警告命令を発信したことを設定端末１０へ連絡する。
【００２２】
上述した構成要素は、設定端末１０、ＧＰＳ端末２０、およびサーバー３０に適宜インストールされるソフトウェア（いわゆるアプリを含む）によって実現してもよく、ハードウェアによって実現してもよい。ソフトウェアによって実現する場合、ＣＰＵなどの制御装置がソフトウェアを構成するプログラムを実行することによって各種機能を実現することができる。
【００２３】
プログラムは、設定端末１０、ＧＰＳ端末２０、およびサーバー３０が内蔵する記憶装置（記憶部３１を含み、メモリ、ＨＤＤまたはＳＳＤなどを指す）に格納してもよく、コンピューターが読み取り可能な非一時的な記録媒体に格納してもよい。また、外部の記憶装置に格納されたプログラムを読み出し、いわゆるクラウドコンピューティングにより実現してもよい。ハードウェアによって実現する場合、ＡＳＩＣ、ＳＯＣ、ＦＰＧＡ、またはＤＲＰなどの種々の回路によって実現することができる。
【００２４】
（１．３．ＧＰＳ端末２０のハードウェア構成）
図３および図４を参照し、ＧＰＳ端末２０のハードウェア構成を説明する。図３に示すように、ＧＰＳ端末２０は、上面および底面が正方形状の直方体形状に構成されており、ボタン１と、音声出力部３と発光部５とを備える。
【００２５】
ボタン１は、ＧＰＳ端末２０の電源のオン／オフを操作するときに押下する。また、所持者が任意のタイミングでボタン１を一定時間以上押しつづけると、位置情報送信部２３は、そのタイミングにおける位置情報をサーバー３０へ送信する。
【００２６】
この場合、サーバー３０は、ＧＰＳ端末の位置情報を設定端末１０へ送信するようにしてもよい。このようにすることにより、保護対象者が迷子になったとき、または、何らかのトラブルに巻き込まれたときに、自身の位置を保護者に送信することが可能となる。
【００２７】
音声出力部３は、警告発信部２５が発信する警告に対応する音声を出力する。当該音声の内容は、ＧＰＳ端末２０において設定可能に構成されている。
【００２８】
発光部５は、ＧＰＳ端末の状態（起動状態、または充電状況など）を通知するために発光する。また、発光部５による発光により、保護対象者に対する警告を発信してもよい。
【００２９】
図４は、ＧＰＳ端末２０を実現するためのハードウェア構成の一例を示す。図４において、制御装置２０１は、例えばＳＯＣ（Ｓｙｓｔｅｍ  оｎ  ａ  ｃｈｉｐ）などで構成され、ＧＰＳ端末２０内の制御を行う。メモリ２０３は、制御装置２０１の演算処理におけるメモリとして機能する。
【００３０】
スピーカー２１１は、制御装置２０１からの命令に基づいて、警告としての音声を発信する。ＬＥＤランプ２１３は、制御装置２０１からの命令に基づいて、発光部５を発光させるためにＬＥＤ光を点灯する。
【００３１】
ジャイロセンサー２１５（特許請求の範囲における「振動センサー」の一例）は、ＧＰＳ端末２０における振動を検知する。リセットタイマー２２３は、所定の時間（たとえば１０分）を計測し、その期間にＧＰＳ端末２０に対する振動が検知されなかった場合、制御装置２０１はスイッチ２２１を制御して電源２２０からの供給をオフにする。
【００３２】
このような構成とすることで、保護対象者が学校における授業中などで長時間一定の場所にいる場合（すなわち、振動を検知しない場合）には電源をオフにしつつ、保護者が移動した場合（すなわち、振動を検知した場合）に電源をオンにするといった制御をすることが可能に構成されている。
【００３３】
ＧＰＳモジュール２１６は、ＧＰＳ衛星からの測位信号を所定時間ごとに受信する。無線モジュール２１７は、ＧＰＳ端末２０とサーバー３０との間での無線通信を行う。
【００３４】
（１．４．設定端末１０の画面遷移）
図５および図６を参照し、設定端末１０における画面遷移を説明する。なお、上述の通り、設定端末１０はスマートフォンで実装されている。すなわち、以下の説明では、スマートフォンのディスプレイが表示部１４として機能し、それと同時に入力部１１としても機能する。
【００３５】
画面Ｇ１は、設定端末１０の表示部１４に表示されるホーム画面である。画面Ｇ１には、設定端末１０で位置監視の対象となっている保護対象者の情報が示されている。具体的には、領域Ｄ１と領域Ｄ１′に保護対象者の情報がそれぞれ記載されている。領域Ｄ１を押下すると、画面Ｇ２へ遷移する。また、領域Ｄ２を押下すると、画面Ｇ５へ遷移する。また、領域Ｄ１０を押下すると、画面Ｇ１０へ遷移する。
【００３６】
画面Ｇ２は、画面Ｇ１の領域Ｄ１に対応する保護対象者の現在位置の詳細情報を表示する画面である。保護者は、画面Ｇ２を確認することにより、保護対象者の現在位置、およびその周辺地域の情報を確認することができる。画面Ｇ２における領域Ｄ３を押下すると、画面Ｇ３に押下する。また、領域Ｄ４を押下すると、画面Ｇ４へ遷移する。
【００３７】
画面Ｇ３は、保護対象者の行動履歴を表示する画面である。保護者は、画面Ｇ３を確認することにより、保護対象者が移動した場所の履歴を確認することができる。これにより、保護対象者が危険なエリアに進入していないかを把握することができる。
【００３８】
画面Ｇ４は、保護対象者の現在位置の風景画像を表示する画面である。保護者は、画面Ｇ４を確認することにより、保護対象者の現在位置がどのような場所であるかを把握することができる。
【００３９】
画面Ｇ５は、各種設定事項を選択する画面である。設定事項としては、たとえば、設定端末１０の使用者（すなわち、保護者）の情報、位置条件の設定、ＧＰＳ端末２０で発信される警告の種類（音声の内容、音量、振動の強度、発光の強度等）などが含まれる。画面Ｇ５において領域Ｄ５を押下すると、画面Ｇ６へ遷移する。
【００４０】
画面Ｇ６は、位置条件の確認画面である。画面Ｇ６には、すでに設定された位置条件が表示されている。画面Ｇ６において領域Ｄ６を押下すると、画面Ｇ７へ遷移する。
【００４１】
画面Ｇ７は、位置条件の設定画面である。画面Ｇ７において地図上の位置を押下して指定することにより、指定した位置を位置条件として設定することができる。ここで、領域Ｄ７を操作することにより、位置条件としての範囲を指定することができる。領域Ｄ８を押下すると、画面Ｇ８へ遷移する。
【００４２】
画面Ｇ８は、位置条件の決定画面である。領域Ｄ９を押下することにより、画面Ｇ７で設定した位置条件をサーバー３０の記憶部３１に登録することができる。
【００４３】
画面Ｇ１０は、保護対象者ごとに設定された位置条件を表示する画面である。設定された位置条件の一例として、領域Ｄ１１を押下すると、画面Ｇ１１へ遷移する。
【００４４】
画面Ｇ１１は、設定された位置条件の詳細を表示する画面である。ここで例えば、領域Ｄ１２を操作することにより、設定されたエリアに進入したタイミングに警告を発信するか、設定されたエリア外から戻ったタイミングに警告を発するかといった、ＧＰＳ端末２０が保護対象者に警告を発信するタイミングを設定することができる。
【００４５】
また、領域Ｄ１３を操作することにより、ＧＰＳ端末２０の警告の音声について設定することができる。具体的には、音声の有無、音声の音量、音声の内容などが設定可能となっている。
【００４６】
また、領域Ｄ１４を操作することにより、位置条件を適用する曜日を指定することができる。このようにすることにより、習い事や塾などで保護対象者が所定の場所に行くことが決まっている場合に、位置条件を解除することができる。そのため、より保護対象者の生活環境を反映した形で、位置監視を行うことが可能となる。
【００４７】
（１．５．位置監視システム１００の処理の流れ）
図７を参照し、位置監視システム１００における処理の流れを説明する。ステップＳ１００において、保護者は、設定端末１０の入力部１１に位置条件を入力する。ステップＳ１０１において、設定端末１０は入力部１１を介して位置条件を取得する。ステップＳ１０２において、設定端末１０のデータ送受信部１７は、位置条件をサーバー３０のデータ更新部３３へ送信する。
【００４８】
ステップＳ１０３において、サーバー３０のデータ更新部３３は位置条件を取得する。ステップＳ１０４において、データ更新部３３は位置条件を記憶部３１へ登録する。ステップＳ１０５において、データ更新部３３は登録内容を設定端末１０のデータ送受信部１７へ送信する。
【００４９】
ステップＳ１０６において、設定端末１０のデータ送受信部１７は登録内容を受信する。ステップＳ１０７において、設定端末１０の表示部１４は登録内容を表示する。ステップＳ１０８において、保護者は表示部１４に表示された登録内容を確認する。
【００５０】
一方、ステップＳ１１０において、ＧＰＳ端末２０の位置情報取得部２１は、あらかじめ定められたタイミングでＧＰＳ衛星からの測位信号を受信し、ＧＰＳ端末２０の位置情報を取得する。ステップＳ１１１において、ＧＰＳ端末２０の位置情報送信部２３は、サーバー３０へ位置情報を送信する。
【００５１】
ステップＳ１１２において、サーバー３０の判定部３５は位置情報を受信する。ステップＳ１１３において、判定部３５は、記憶部３１を参照して位置情報が位置条件を満たしているか否かを判定する。
【００５２】
ここで、位置情報が位置条件を満たしていない場合、ステップＳ１１０〜ステップＳ１１３が繰り返される。一方、位置情報が位置条件を満たしている場合、ステップ１１４が行われる。
【００５３】
ステップＳ１１４において、サーバー３０の警告命令送信部３７は、ＧＰＳ端末２０へ警告命令を送信する。ステップＳ１１５において、ＧＰＳ端末の警告発信部２５は警告命令を受信する。ステップＳ１１６において、警告発信部２５は保護対象者に向けて警告を発信する。ステップＳ１１７において、保護対象者は警告を認知する。
【００５４】
また、ステップＳ１２４において、サーバー３０の判定部３５は、警告を発信した旨の連絡を設定端末１０へ送信する。ステップＳ１２５において、設定端末１０のデータ送受信部１７は、警告を発信した旨の連絡を受信する。ステップＳ１２６において、設定端末１０の表示部１４は受信内容を表示する。ステップＳ１２７において、保護者は表示部１４に表示された内容を確認する。
【００５５】
以上のようにして、本実施形態に係る位置監視システム１００は、ＧＰＳ端末２０と、サーバー３０と、設定端末１０を備える。ＧＰＳ端末２０は保護対象者に所持され、ＧＰＳ端末２０が存在する位置についての位置情報を、予め定められたタイミングでサーバー３０へ送信する位置情報送信部２３と、サーバー３０から受信した警告命令に基づいて警告を発信する警告発信部２５とを備える。
【００５６】
設定端末１０は、ＧＰＳ端末２０が存在する位置に関して予め定められた位置条件を保護者によって設定可能に構成される。サーバー３０は位置条件を記憶する記憶部３１と、ＧＰＳ端末２０から受信した位置情報が予め定められた位置条件を満たした場合に、ＧＰＳ端末２０へ警告命令を送信する警告命令送信部３７とを含む。
【００５７】
このような構成とすることにより、保護者は設定端末１０を用いて地域の環境を考慮して危険なエリアを位置条件として設定することができる。そして、ＧＰＳ端末２０を所持した保護対象者が設定された場所に立ち入った場合には、位置情報が位置条件を満たしたとして、ＧＰＳ端末が子供に対して警告を発信する。そのため、子供自身に注意喚起することが可能となり、子供の安全を確保することができる。
【００５８】
＜２．第２実施形態＞
（２．１．位置監視システム２００の概要）
図８を参照して、第２実施形態に係る位置監視システム２００の概要を説明する。なお、以下の説明においては、第１実施形態と同一の構成、機能、処理については同一の符号を付し、説明は繰り返さない。
【００５９】
図８に示すように、第２実施形態に係る位置監視システム２００は、予め登録された地域住民（以下、登録者ともいう）が当該地域における危険なエリアの情報（以下、地域危険情報ともいう）を登録可能に構成された地域危険情報サーバー４０を備える。サーバー３０は、地域危険情報サーバー４０と通信可能に構成される。すなわち、第２実施形態では、登録者が地域危険情報サーバー４０に送信し、登録された情報に基づいて、保護者は位置条件を設定することができる。また、保護者は、設定端末１０を操作して、地域危険情報サーバー４０へ地域危険情報を登録することもできる。
【００６０】
（２．２．設定端末１０の画面遷移）
図９を参照し、設定端末１０における画面遷移を説明する。
【００６１】
画面Ｇ２１は、地域危険情報を表示する画面である。保護者は、画面Ｇ２１を確認することにより、登録者が登録した当該地域における危険なエリアの情報を確認することができる。画面Ｇ２１において領域Ｄ２１を押下すると、画面Ｇ２２へ遷移する。また、領域Ｄ２２を押下すると、画面Ｇ２３へ遷移する。
【００６２】
画面Ｇ２２は、画面Ｇ２１に表示される地域危険情報の絞り込みの条件を設定する画面である。ここで、領域Ｄ２３を操作することにより、地域危険情報を登録した登録者を絞り込むことができる。また、領域Ｄ２４を操作することにより、地域危険情報のジャンル（交通事故、水難事故、土砂災害、など）を絞り込むことができる。
【００６３】
画面Ｇ２３は、設定端末１０を操作する保護者が、地域危険情報を登録する画面である。ここで、領域Ｄ２５を操作することにより、地域における危険なエリアを入力することができる。そして、領域Ｄ２６を押下すると、画面Ｇ２４へ遷移する。
【００６４】
画面Ｇ２４は、画面Ｇ２３で入力したエリアについての詳細情報を入力する画面である。ここで、領域Ｄ２７を操作することにより、画面Ｇ２３で入力したエリアについての情報を入力することができる。また、領域Ｄ２８を操作することにより、当該エリアのジャンルを選択することができる。領域Ｄ２９を押下すると、入力した内容が地域危険情報サーバー４０へ登録される。
【００６５】
（２．３．位置監視システム２００の処理の流れ）
図１０を参照し、位置監視システム２００における処理の流れを説明する。ステップＳ２００において、登録者は、例えばスマートフォンなどを用いて地域危険情報を送信する。ステップＳ２０１において、地域危険情報サーバー４０は、地域危険情報を登録する。
【００６６】
ステップＳ２０２において、サーバー３０は、予め定められたタイミングで地域危険情報サーバー４０へ地域危険情報の要求を送信する。ステップＳ２０３において、地域危険情報サーバー４０は、サーバー３０からの要求を受信する。
【００６７】
ステップＳ２０４において、地域危険情報サーバー４０は地域危険情報をサーバー３０へ送信する。ステップＳ２０５において、サーバー３０は地域危険情報を受信する。
【００６８】
ステップＳ２０６において、サーバー３０は地域危険情報を設定端末１０へ送信する。ステップＳ２０７において、設定端末１０は地域危険情報を受信する。
【００６９】
ステップＳ２０８において、設定端末１０は地域危険情報を表示部１４に表示する。ステップＳ２０９において、保護者は地域危険情報を確認する。
【００７０】
以上のようにして、本実施形態に係る位置監視システム２００では、サーバー３０は、登録者が地域危険情報を登録可能に構成された地域危険情報サーバー４０と通信可能に構成されている。保護者は、設定端末１０に表示された地域危険情報に基づいて、位置条件を入力することができる。
【００７１】
このような構成とすることにより、保護者は、登録者が登録した危険なエリアについての情報を参照しつつ、位置条件を設定することができるため、保護対象者を取り巻く環境をより正確に把握した上で、より安全に監視することが可能となる。
【００７２】
＜３．第３実施形態＞
（３．１．位置監視システム３００の概要）
図１１を参照して、第３実施形態に係る位置監視システム３００の概要を説明する。以下においては、上記実施形態との相違点を中心に説明する。
【００７３】
図１１に示すように、第３実施形態に係る位置監視システム３００では、サーバー３０は、予め登録された学校などの施設（以下、登録施設ともいう）が配信する当該地域における不審者の出没に関する情報（以下、不審者情報ともいう）を登録可能に構成された地域危険情報サーバー４０と合わせて、不審者情報を管理する機関（以下、不審者情報機関ともいう）が有する不審者情報サーバー５０と通信可能に構成されている。第３実施形態では、登録施設が配信した情報と、不審者情報機関が管理している情報とに基づいて、保護対象者が危険なエリアにいるか否かを判定する。
【００７４】
（３．２．位置監視システム３００の処理の流れ）
図１２を参照し、位置監視システム３００における処理の流れを説明する。ステップＳ３０１において、不審者情報サーバー５０は不審者情報をサーバー３０へ送信する。ステップＳ３０２において、サーバー３０は不審者情報を受信する。
【００７５】
ステップＳ１１０〜ステップＳ１１３において、サーバー３０は、ＧＰＳ端末２０から受信した位置情報にもとづいて位置情報の判定を行う。ＧＰＳ端末から受信した位置情報が、不審者が出没したエリアに該当する場合には、ステップＳ１１４〜ステップＳ１１７において、サーバー３０はＧＰＳ端末２０へ警告命令を発信し、ＧＰＳ端末２０が保護対象者へ警告を発信する。
【００７６】
以上のようにして、本実施形態に係る位置監視システム３００では、サーバー３０は、登録施設が配信した不審者情報を登録可能に構成された地域危険情報サーバー４０と合わせて、不審者情報機関が有する不審者情報サーバー５０と通信可能に構成されている。サーバー３０は、地域危険情報サーバー４０および不審者情報サーバー５０から取得した不審者情報に基づいて、ＧＰＳ端末２０を所持する保護対象者が危険なエリアにいるか否かを判定する。
【００７７】
このような構成とすることにより、登録施設が配信した情報だけでなく、より多くの情報に基づいて保護対象者が危険なエリアにいるか否かを判定することが可能となるため、保護対象者を取り巻く環境をより正確に把握した上で、より安全に監視することが可能となる。
＜４．その他の実施形態＞
【００７８】
以上、本願発明における実施形態およびその変形例について説明したが、本開示の適用は上述の内容に限定されるものではない。例えば、上記実施形態では、設定端末１０は、スマートフォンなどの携帯端末として実現されていたが、この例に限定されることはない。たとえば、家庭用のＰＣなどにソフトウェアをインストールすることにより、設定端末１０を実現してもよい。
【００７９】
さらに、本発明は、上述のシステムを実現させるために設定端末１０およびサーバー３０を機能させるプログラムとして実現することもできる。
【００８０】
さらに、本発明は、上述のプログラムを格納する、コンピューター読み取り可能な非一時的な記録媒体として実現することもできる。
【００８１】
本発明に係る種々の実施形態を説明したが、これらは、例として提示したものであり、発明の範囲を限定することは意図していない。当該新規な実施形態は、その他の様々な形態で実施されることが可能であり、発明の要旨を逸脱しない範囲で、種々の省略、置き換え、変更を行うことができる。当該実施形態やその変形は、発明の範囲や要旨に含まれるとともに、特許請求の範囲に記載された発明とその均等の範囲に含まれるものである。
【符号の説明】
【００８２】
１        ：ボタン
３        ：音声出力部
５        ：発光部
１０      ：設定端末
１１      ：入力部
１４      ：表示部
１７      ：データ送受信部
２０      ：ＧＰＳ端末
２１      ：位置情報取得部
２３      ：位置情報送信部
２５      ：警告発信部
３０      ：サーバー
３０      ：サーバー
３１      ：記憶部
３３      ：データ更新部
３５      ：判定部
３７      ：警告命令送信部
４０      ：地域危険情報サーバー
５０      ：不審者情報サーバー
１００    ：位置監視システム
１１４    ：ステップ
２００    ：位置監視システム
２０１    ：制御装置
２０３    ：メモリ
２１１    ：スピーカー
２１３    ：ＬＥＤランプ
２１５    ：ジャイロセンサー
２１６    ：ＧＰＳモジュール
２１７    ：無線モジュール
２２０    ：電源
２２１    ：スイッチ
２２３    ：リセットタイマー
３００    ：位置監視システム
【図１】
2020161906.tif 000003
【図２】
2020161906.tif 000004
【図３】
2020161906.tif 000005
【図４】
2020161906.tif 000006
【図５】
2020161906.tif 000007
【図６】
2020161906.tif 000008
【図７】
2020161906.tif 000009
【図８】
2020161906.tif 000010
【図９】
2020161906.tif 000011
【図１０】
2020161906.tif 000012
【図１１】
2020161906.tif 000013
【図１２】
2020161906.tif 000014